(57)【要約】【課題】清掃時の利便性を確保した上で、扉の開閉操作性の向上、省スペース化並びにコスト低減を実現した冷却庫を提供する。【解決手段】前面開口の断熱箱体からなる冷却庫本体１０の内部には、間口方向の一側に被冷却物を収納する収納室１４が、他側に収納室１４に冷気を循環供給する冷却ユニット４０が設置された設置室１５が設けられるとともに、冷却庫本体１０の前面開口部１０Ａには、収納室１４を覆う収納室側扉５０Ｒと、設置室１５を覆う設置室側扉５０Ｌとが観音開き式の開閉可能に設けられ、設置室側扉５０Ｌの自由端縁の裏面側には、収納室側扉５０Ｒの自由端縁の裏面を当てるピラー６０が設けられている。【選択図】図２
2014214922.tif 000002
【特許請求の範囲】
【請求項１】
前面開口の断熱箱体からなる冷却庫本体の内部には、間口方向の一側に被冷却物を収納する収納室が、他側に前記収納室に冷気を循環供給する冷却ユニットが設置された設置室が設けられるとともに、
前記冷却庫本体の前記前面開口部には、前記収納室を覆う収納室側扉と、前記設置室を覆う設置室側扉とが観音開き式の開閉可能に設けられ、
前記設置室側扉の自由端縁の裏面側には、前記収納室側扉の自由端縁の裏面を当てるピラーが設けられていることを特徴とする冷却庫。
【請求項２】
前記ピラーと前記冷却庫本体との間には、前記ピラーを前記冷却庫本体に対して解除可能に固定するロック機構部が設けられていることを特徴とする請求項１記載の冷却庫。
【請求項３】
前記ロック機構部は、前記ピラーの上端と下端の少なくともいずか一方にロック部が進退可能に装備されるとともに、前記冷却庫本体に前記ロック部が進出位置にある場合に同ロック部に係止して前記ピラーの庫外側への移動を規制する係止部が設けられることで構成されていることを特徴とする請求項２記載の冷却庫。
【請求項４】
前記冷却ユニットが、前記収納室と対面する方向の前後に亘って冷却ファンと冷却器とが配された構造であって、前記冷却ファンの駆動に伴い、前記収納室の空気が前記冷却ユニットの正面から吸い込まれて前記冷却器と熱交換することで冷気が生成され、その冷気が前記冷却ユニットの背面から吹き出されたのち同冷却ユニットの手前と奥の側面側に回り込んで前記収納室に循環供給されるものにおいて、
前記ピラーの裏面における前記設置室側の角部には、前記冷却ユニットの背面から吹き出されたのち手前の側面側に回り込んだ冷気を前記収納室に向けて流通するように案内する冷気案内部が設けられていることを特徴とする請求項１ないし請求項３のいずれか一項に記載の冷却庫。
【請求項５】
前記冷気案内部は、前記ピラーにおける前記設置室側の側縁部の裏面が、前記設置室側に向けて次第に薄肉となる傾斜面とされることで形成されていることを特徴とする請求項４記載の冷却庫。
【請求項６】
前記傾斜面が、前記ピラーにおける前記両扉の自由端縁間に形成される隙間の裏面側に対応する領域からは外れた位置に形成されていることを特徴とする請求項５記載の冷却庫。
【請求項７】
前記冷気案内部は、前記ピラーにおける前記設置室側の側縁部が、同一厚さのまま前記設置室側に延出されることで形成されていることを特徴とする請求項４記載の冷却庫。
【請求項８】
前記冷却庫本体の前記前面開口部における前記収納室と前記設置室との境の底部には、ストッパが前記前面開口部の表面側の口縁部と面一で設けられ、
前記ピラーにおける前記収納室側の側縁部の下端部が、前記ストッパにおける前記設置室側の側縁部に切り欠き形成された凹部に嵌って受けられることで、前記ピラーがその表面を前記ストッパの表面と面一とした形態を採って前記設置室側扉が閉鎖されるようになっており、
かつ、前記ピラーにおける前記ストッパの前記凹部に嵌る部分の裏面が、前記収納室側に向けて次第に薄肉となる傾斜面とされるとともに、前記凹部の奥面が前記傾斜面と重なり合う傾斜面とされていることを特徴とする請求項１ないし請求項７のいずれか一項に記載の冷却庫。
【発明の詳細な説明】
【技術分野】
【０００１】
本発明は、急速冷却庫、急速凍結庫等の冷却庫に関する。
【背景技術】
【０００２】
従来、急速冷却庫の一例として、特許文献１に記載されたものが知られている。このものは、前面開口の冷却庫本体内における間口方向の一側に、加熱調理済みの食品を入れたトレイを複数段に収納できるようにした収納室が設けられるとともに、他側に設けられた設置室には、冷却器と冷却ファンとをケーシング内に収めた冷却ユニットが設置されており、冷却ファンの駆動に伴い、収納室の空気が冷却ユニットの正面から吸い込まれて冷却器と熱交換することで冷気が生成され、その冷気が冷却ユニットの背面から吹き出されたのち同冷却ユニットの側面側に回り込んで収納室に循環供給されることにより、食品が急速冷却されるようになっている。  
一方、この種の急速冷却庫では、その使用形態上、収納室に加えて冷却ユニット側も汚れやすいという事情があるため、清掃の便宜を図る等から、冷却庫本体の前面開口部には、片開きの一枚扉を揺動開閉可能に装着することが一般的であった。
【先行技術文献】
【特許文献】
【０００３】
【特許文献１】特開２０１０−１９０４９１号公報
【発明の概要】
【発明が解決しようとする課題】
【０００４】
しかしながら上記のような一枚扉であると、急速冷却庫が大型化したときには、必然的に大型の扉が要求されるために、扉の開閉操作が大変であり、また、扉の手前側に開閉用の大きなスペースが必要となったり、扉を支持するヒンジ部の構造を堅牢にしなくてはならないといった不具合があり、その対策が希求されていた。  
本発明は上記のような事情に基づいて完成されたものであって、その目的は、清掃時の利便性を確保した上で、扉の開閉操作性の向上、省スペース化並びにコスト低減を実現した冷却庫を提供するところにある。
【課題を解決するための手段】
【０００５】
本発明は、前面開口の断熱箱体からなる冷却庫本体の内部には、間口方向の一側に被冷却物を収納する収納室が、他側に前記収納室に冷気を循環供給する冷却ユニットが設置された設置室が設けられるとともに、前記冷却庫本体の前記前面開口部には、前記収納室を覆う収納室側扉と、前記設置室を覆う設置室側扉とが観音開き式の開閉可能に設けられ、前記設置室側扉の自由端縁の裏面側には、前記収納室側扉の自由端縁の裏面を当てるピラーが設けられているところに特徴を有する。
【０００６】
収納室に被冷却物を出し入れする場合は、設置室側扉を閉鎖したままで収納室側扉のみを揺動開閉する。頻繁に開閉する収納室側扉が、１枚扉とした場合と比べて小型にできるから、開閉操作力が小さくて済み、また手前側に確保する扉開閉用のスペースを低減でき、さらに扉の支持構造を簡略にできてコスト低減を図ることができる。  
清掃等を行う場合は、両扉を開放する。設置室側扉の開放に伴いピラーが移動して、前面開口部がいわゆるピラーレス状態となるから、邪魔する物が無くなって特に冷却ユニット側の清掃の作業性を向上させることができる。
【０００７】
また、以下のような構成としてもよい。  
（１）前記ピラーと前記冷却庫本体との間には、前記ピラーを前記冷却庫本体に対して解除可能に固定するロック機構部が設けられている。  
収納室側扉とピラーとの間の気密性を確保するために、収納室側扉の自由端縁の裏面に装着したパッキンをピラーに密着させる手段が採られた場合、同パッキンがピラーに貼り付いた状態となると、収納室側扉を開放した場合に設置室側扉が不必要に連れて開くおそれがある。  
ロック機構部によりピラーを冷却庫本体に固定しておくと、設置室側扉を確実に閉鎖状態に留めて、収納室側扉のみを開閉することができる。ピラーの固定を解除すれば、両扉を揃って開放することができる。
【０００８】
（２）前記ロック機構部は、前記ピラーの上端と下端の少なくともいずか一方にロック部が進退可能に装備されるとともに、前記冷却庫本体に前記ロック部が進出位置にある場合に同ロック部に係止して前記ピラーの庫外側への移動を規制する係止部が設けられることで構成されている。  
設置室側扉の閉鎖後にロック部を進出させると、係止部に係止されることでピラーが庫外へ移動することが規制され、ひいては設置室側扉が閉鎖状態に保持される。
【０００９】
（３）前記冷却ユニットが、前記収納室と対面する方向の前後に亘って冷却ファンと冷却器とが配された構造であって、前記冷却ファンの駆動に伴い、前記収納室の空気が前記冷却ユニットの正面から吸い込まれて前記冷却器と熱交換することで冷気が生成され、その冷気が前記冷却ユニットの背面から吹き出されたのち同冷却ユニットの手前と奥の側面側に回り込んで前記収納室に循環供給されるものにおいて、前記ピラーの裏面における前記設置室側の角部には、前記冷却ユニットの背面から吹き出されたのち手前の側面側に回り込んだ冷気を前記収納室に向けて流通するように案内する冷気案内部が設けられている。  
冷却ユニットの手前の側面側に回り込んだ冷気が、ピラーの裏面に設けられた冷気案内部により収納室に向けてスムーズに流される。収納室の手前側と奥側とで冷却速度が偏ること、すなわち温度むらが出ることが抑制される。
【００１０】
（４）前記冷気案内部は、前記ピラーにおける前記設置室側の側縁部の裏面が、前記設置室側に向けて次第に薄肉となる傾斜面とされることで形成されている。  
冷気は傾斜面に沿うようにして、乱流等を生じることなく収納室側にスムーズに流通する。
【００１１】
（５）前記傾斜面が、前記ピラーにおける前記両扉の自由端縁間に形成される隙間の裏面側に対応する領域からは外れた位置に形成されている。  
外気に触れやすい部分に所定の肉厚を維持したことで断熱性能を確保でき、ピラー表面への露付きを防止できる。
【００１２】
（６）前記冷気案内部は、前記ピラーにおける前記設置室側の側縁部が、同一厚さのまま前記設置室側に延出されることで形成されている。  
冷気は、ピラーの裏面に沿うようにして、ショートサイクルを生じることなく収納室側にスムーズに流通する。
【００１３】
（７）前記冷却庫本体の前記前面開口部における前記収納室と前記設置室との境の底部には、ストッパが前記前面開口部の表面側の口縁部と面一で設けられ、前記ピラーにおける前記収納室側の側縁部の下端部が、前記ストッパにおける前記設置室側の側縁部に切り欠き形成された凹部に嵌って受けられることで、前記ピラーがその表面を前記ストッパの表面と面一とした形態を採って前記設置室側扉が閉鎖されるようになっており、かつ、前記ピラーにおける前記ストッパの前記凹部に嵌る部分の裏面が、前記収納室側に向けて次第に薄肉となる傾斜面とされるとともに、前記凹部の奥面が前記傾斜面と重なり合う傾斜面とされている。
【００１４】
仮にピラーにおける収納室側の側縁部の下端部が一定の肉厚で、その裏面が表面と平行な面があると、ピラーが揺動してストッパの凹部に出入りすることを許容するためには、ピラーの収納室側の側縁部の端面と、ストッパの凹部におけるこれと対向した対向面との間の間隔を相応に大きく採る必要がある。  
それに対して上記構成では、傾斜面同士を重ね合わせるようにしたことで、ピラーの収納室側の側縁部の端面と、ストッパの凹部における対向面との間の間隔を狭めることができ、庫外に向けた冷気洩れを抑制することができる。
【発明の効果】
【００１５】
本発明の冷却庫によれば、清掃時の利便性を確保した上で、扉の開閉操作性の向上、省スペース化並びにコスト低減を実現することができる。
【図面の簡単な説明】
【００１６】
【図１】本発明の実施形態１に係る冷却庫の扉を除去した状態の分解斜視図
【図２】冷却庫における収納室側扉を開放した状態を示す斜視図
【図３】同正面図
【図４】収納室側扉が開かれかつカートが収納された状態を示す正面図
【図５】両扉が閉鎖された状態の正面図
【図６】両扉が開放された状態の正面図
【図７】カート受けの配設構造を示す斜視図
【図８】カートがカート受けで受けられた状態の斜視図
【図９】設置室側扉の背面図
【図１０】ロック機構部の配設構造を示す斜視図
【図１１】ロック部材の正面図
【図１２】ロック機構部の作動を示す断面図
【図１３】冷却庫の平断面図
【図１４】図１３の部分拡大図
【図１５】本発明の実施形態２に係る設置室側扉の背面から視た斜視図
【図１６】ロック機構部の配設構造を示す背面図
【図１７】その背面から視た斜視図
【図１８】両扉が閉鎖された状態の部分拡大平断面図
【発明を実施するための形態】
【００１７】
＜実施形態１＞
本発明の実施形態１を図１ないし図１４によって説明する。この実施形態では、カートインタイプの急速冷却庫（ブラストチラー）に適用した場合を例示している。  
本実施形態の急速冷却庫は、図１ないし図６に示すように、縦長の冷却庫本体１０（以下、本体１０）を備え、上面に機械室１１が装備されているとともに、底面に配された脚１２によって支持されている。
【００１８】
本体１０は前面が開口された縦長の断熱箱体からなり、本体１０の内部すなわち庫内では、図６に示すように、正面から見た右側の２／３程度の領域が、被冷却物である食品の収納室１４とされ、残りの左側の領域が、冷却ユニット４０の設置室１５となっている。
本体１０の前面開口部１０Ａには、詳しくは後記するように、収納室１４の前面を覆う収納室側扉５０Ｒ（以下、右扉５０Ｒ）と、設置室１５の前面を覆う設置室側扉５０Ｌ（以下、左扉５０Ｌ）とが、対をなして観音開き式の開閉可能に装着されている。
【００１９】
本体１０の収納室１４内には、カート２０が前面側から出し入れ可能に収納されるようになっている。  
カート２０は、図１に示すように、キャスタ２２を備えた方形枠状の台車２１を備え、この台車２１の所定間隔を開けた上方位置に、基盤２３が同台車２１の手前側の端縁に設けられた支持部２５を介して、片持ち状に張り出して設けられている。基盤２３上には、縦長の門型をなす前後一対のフレーム２８が立てられ、両フレーム２８内には、左右で対をなすトレイ受け２９が、複数段に亘って設けられている。したがって食品は、図４に示すように、トレイＴに載せられた状態で、カート２０に対して複数段に亘って収容されるようになっている。
【００２０】
カート２０を収納室１４に収納する部分の構造をさらに説明する。カート２０の支持部２５の構造は、台車２１の手前側の端縁における左右両端部に一対の支持柱２６が立てられ、両支持柱２６の裏面側には、所定幅を有する横長の金属板製の支持板２７が、その上端部を所定寸法突出させた形態で張設されており、この支持板２７の裏面から上記した基盤２３が片持ち状に設けられている。
【００２１】
収納室１４の底壁１４Ａの前縁部（開口側縁部）には、図１及び図７に示すように、カート２０が収納室１４内に押し込まれた場合に所定位置にて押し込みを停止するカート受け３０が設けられている。  
そのため、底壁１４Ａの前縁は一段奥に凹んだ形態で形成され、この凹部１４Ｂにカート受け３０が装着されている。カート受け３０は、底壁１４Ａの前端面に沿うように配される金属製の水平部３１の左右両端に、背の低い合成樹脂製の垂直部３２が立ち上がって設けられた正面視で浅いチャンネル形をなしている。  
ここで、カート受け３０における正面視で右側の垂直部３２Ｒは、収納室１４の前面開口の右側縁と並んで配される一方、左側の垂直部３２Ｌは、右側の垂直部３２Ｒとの間にカート２０の基盤２３が進入可能な間隔を開けて、設置室１５との境目に配されるようになっている。  
また、カート受け３０の両垂直部３２Ｌ，３２Ｒにおける手前側の面は、上記した本体１０の前面開口部１０Ａの正面側の口縁部１０Ｂと同一面上に来るように設定されている。
【００２２】
カート受け３０における水平部３１から左右の垂直部３２Ｌ，３２Ｒの内側縁に亘る領域には、カート２０の支持部２５に設けられた支持板２７が嵌る嵌合凹部３３が一段奥まった形態で形成されている。この嵌合凹部３３の奥面には、正面視で浅いチャンネル形をなしてカート用パッキン３４が装着されている。  
カート２０は、台車２１と基盤２３との間に底壁１４Ａを進入させつつ、収納室１４内に手前側から押し込まれ、図８に示すように、支持部２５における支持板２７がカート受け３０の嵌合凹部３３に嵌り、カート用パッキン３４を弾縮して奥面で受けられることにより押し込みが停止されるようになっている。  
この押し込みの停止位置がカート２０の正規の収納位置であって、このとき、支持板２７の手前側の面が、カート受け３０における両垂直部３２Ｌ，３２Ｒの手前側の面、並びに本体１０の前面開口部１０Ａの正面側の口縁部１０Ｂと同一面上に来るように設定されている。
【００２３】
本体１０内の設置室１５には、冷却ユニット４０が設置されている。冷却ユニット４０は、図１，図６及び図１３に示すように、冷却器４１（蒸発器）と冷却ファン４２とをケーシング４３内に収めてユニット化したものである。ケーシング４３は左右のケーシング４３Ａ，４３Ｂに分割され、手前側において開閉可能となっている。  
冷却器４１は設置室１５よりも一回り小さいブロック状に形成され、左ケーシング４３Ａ内に収容されている。冷却ファン４２は３個備えられ、縦方向に並べられて右ケーシング４３Ｂ内に収容されている。  
この冷却ユニット４０が、図１３に示すように、その手前側と奥側の面が、それぞれ閉鎖された左扉５０Ｌの裏面と設置室１５の奥壁１５Ａとの間に所定間隔を開け、かつ正面視で左側面が設置室１５の左側壁１５Ｂとの間に所定間隔を開けた形態で配されている。冷却器４１は、機械室１１内に装備された膨張弁からなる図示しない制御装置と冷媒配管によって循環接続されている。なお、圧縮機、凝縮器等からなる冷凍装置は、図示しない室外機内に装備されている。
【００２４】
冷却運転が実行され、すなわち冷凍装置と冷却ファン４２とが運転されると、図１３の矢線に示すように、収納室１４の空気が右ケーシング４３Ｂの吸込口４４を通って冷却ユニット４０内に吸引されて冷却器４１を通過する間に冷気が生成され、冷却ユニット４０の背面側に吹き出された冷気が、設置室１５の左側壁１５Ｂに当たって手前と奥に分かれて同冷却ユニット４０の手前側と奥側の側面に回り込んだのち、収納室１４に送り込まれるといった循環流を生じるようになっている。
【００２５】
既述したように、本体１０の前面開口部１０Ａには、収納室１４を覆う右扉５０Ｒと、設置室１５を覆う左扉５０Ｌとが、対をなして観音開き式の開閉可能に装着されている。
各扉５０Ｌ，５０Ｒは、共に外殻内に発泡樹脂等の断熱材が充填された断熱扉である。右扉５０Ｒは相対的に幅広に形成され、その右側縁が収納室１４の前面開口の右側縁に対して、ヒンジ５１Ｒにより揺動可能に支持されている。  
右扉５０Ｒの裏面における周縁部の４辺には、扉パッキン５２が装着されている。この扉パッキン５２は、右扉５０Ｒの閉鎖時において、揺動開閉の基端側の縦パッキン５２Ａが、収納室１４の前面開口の右側縁に、上側の横パッキン５２Ｂが、収納室１４の前面開口の上縁にそれぞれ当接されるとともに、下側の横パッキン５２Ｃが、カート受け３０における左右の垂直部３２Ｌ，３２Ｒの手前の面と、これと面一をなすカート２０の支持板２７の上縁における手前の面に亘って当接可能となっている。  
なお、同扉パッキン５２の自由端側の縦パッキン５２Ｄは、後記するピラー６０の手前側の面に対して当接可能となっている。
【００２６】
一方、左扉５０Ｌは相対的に幅狭に形成され、その左側縁が設置室１５の前面開口の左側縁に対して、同じくヒンジ５１Ｌにより揺動可能に支持されている。左扉５０Ｌの裏面における周縁部の４辺には、同様に扉パッキン５３が装着されている。この扉パッキン５３は、左扉５０Ｌの閉鎖時において、揺動開閉の基端側の縦パッキン５３Ａが、設置室１５の前面開口の左側縁に、上下の横パッキン５３Ｂ，５３Ｃ（図９参照）が、収納室１４の前面開口の上下各縁にそれぞれ当接されるようになっている。
【００２７】
さて、左扉５０Ｌの自由端側の裏面には、図９に示すように、ピラー６０が取り付けられている。このピラー６０は、筒状をなすピラー本体６１の上下両面にキャップ６２を被せてなる外殻内に、発泡樹脂等の断熱材が充填された断熱構造となっている。  
このピラー６０は、図１３及び図１４に示すように、奥行方向に扁平な断面形状を有する略角柱状に形成されている。ピラー６０はより詳細には、本体１０の前面開口部１０Ａの高さ（上縁と下縁との間の寸法）に匹敵する高さ寸法と、両扉５０Ｌ，５０Ｒが閉じた場合における各扉５０Ｌ，５０Ｒの自由側端面間にできる隙間の３倍強の幅寸法と、扉５０Ｌ，５０Ｒの最大厚さの半分弱の最大厚さ寸法を有している。  
ピラー６０の裏面では、幅方向の両側部における略１／３幅の領域において、それぞれ側縁に向けて次第に薄肉となるような傾斜状に形成されている。両傾斜面６４Ｌ，６４Ｒの傾斜角度は、例えば、側縁の厚さが最大厚さの半分弱となる程度である。
【００２８】
上記のような構造になるピラー６０が、左扉５０Ｌの自由端縁の裏面側に取り付けられている。より詳細には、図１４に示すように、ピラー６０の表面の左側縁部が、左扉５０Ｌの扉パッキン５３のうち自由端側の縦パッキン５３Ｄに沿うように当てられ、縦方向の複数箇所において、図９に示すように、左扉５０Ｌとピラー６０の裏面同士を取付具６５で連結することで、上記のように、左扉５０Ｌの自由端縁の裏面側にピラー６０が取り付けられている。  
ピラー６０が取り付けられた状態では、ピラー６０の表面が左扉５０Ｌの表面と平行姿勢を採り、また、ピラー６０の略右半分の部分が、左扉５０Ｌの自由端縁から外部に突出するようになっている。
【００２９】
左扉５０Ｌが閉鎖された場合には、図１４に示すように、ピラー６０の右側縁の所定幅部分が、上記したカート受け３０における左側の垂直部３２Ｌの左手前の角部と係合する位置まで張り出すようになっている。そのため、同垂直部３２Ｌの左手前の角部には、ピラー６０の右側縁を嵌めて逃がす逃がし凹部３６が形成されている。同逃がし凹部３６の奥面には、ピラー６０の右側縁の傾斜面６４Ｒに倣った傾斜面３６Ａが形成されている。
左扉５０Ｌは、ピラー６０の右側縁の傾斜面６４Ｒが逃がし凹部３６に嵌りつつ閉鎖され、揺動開閉の基端側の縦パッキン５３Ａが、設置室１５の前面開口の左側縁に、上下の横パッキン５３Ｂ，５３Ｃが、収納室１４の前面開口の上下各縁にそれぞれ当接されることで停止されるようになっている。正規の閉鎖姿勢を採った場合には、ピラー６０の表面が、垂直部３２Ｌの表面、並びに本体１０の前面開口部１０Ａの正面側の口縁部と面一をなす位置に来るようになっている。
【００３０】
一方、右扉５０Ｒの閉鎖動作は、同じく図１４に示すように、右扉５０Ｒの裏面の厚肉部分が、上記したカート受け３０の左側の垂直部３２Ｌの右側縁部に当たることで停止され、正規の閉鎖姿勢を採った場合には、右扉５０Ｒの扉パッキン５２のうち自由端側の縦パッキン５２Ｄが、ピラー６０の右側縁部における表面に弾縮して押し付けられるようになっている。
【００３１】
上記した左扉５０Ｌを閉鎖状態に保持し、かつ適宜に同保持状態を解除するべくロック機構部７０が装備されている。ロック機構部７０は、図１１に示すように、ロック部材７１を備えており、このロック部材７１は、ボックス７２内にロックピン７３が進退可能に装着され、ロックピン７３を内部に装着された付勢ばねの弾力に抗して押し込んだところで、係止部に係止されて同図の実線に示す後退位置に保持され、ボックス７２の外面に設けられた操作部７４を操作して係止部による係止を解除することにより、付勢ばねの弾力によりロックピン７３が同図の鎖線に示す前進位置に進出するように機能する。
【００３２】
上記のような構造のロック部材７１が、図９に示すように、ピラー６０の裏面における下端部と上端部において、それぞれロックピン７３を下向きまたは上向きとした姿勢で取り付けられている。一方、本体１０の前面開口部１０Ａの下側の周面と上側の周面とには、図１０及び図１２に示すように、左扉５０Ｌが正規の閉鎖姿勢を採った場合におけるピラー６０に設けられた各ロック部材７１のロックピン７３と対応する位置に、当該ロックピン７３が前進位置に進出した場合にその進入を許容するロック孔７６が形成されている。
【００３３】
また、図２，図５に示すように、右扉５０Ｒを左扉５０Ｌに対して連結状態に保持し、かつ適宜に同連結状態を解除するべく施錠機構部８０が設けられている。この施錠機構部８０は、ラッチレバー８１とラッチ受け８５とを備えている。  
ラッチレバー８１は、爪部８２が付勢ばねを介して進退可能に設けられ、常には付勢ばねの弾力で突出付勢され、レバー８３を手前に引くことで爪部８２を付勢ばねの弾力に抗して後退させるように機能する。このラッチレバー８１が、右扉５０Ｒの自由端側の表面における略中央高さ位置に、爪部８２を自由端縁から突出させた横向きの姿勢で装着されている。
【００３４】
一方、ラッチ受け８５は左扉５０Ｌ側に取り付けられるようになっている。そのため、左扉５０Ｌの自由端縁には、その中央高さよりも少し下方位置において、上下両面に円弧形の丸みが付された縦長の装着凹部５５が凹み形成されている。なお、この装着凹部５５の手前側の縁部には手掛け用のリブが立てられ、左扉５０Ｌの開放操作用の把手５６として使用可能となっている。  
ラッチ受け８５は、ラッチレバー８１における突出した爪部８２の進入を許容して係止する係止部８６を突出端に設けた形状であり、ラッチレバー８１と対応した高さ位置に配されている。詳細には、ラッチ受け８５の基端側が装着凹部５５の上端部を通ってピラー６０の表面の所定位置に当てられ、ねじ止めされて固定されている。
【００３５】
したがって、左扉５０Ｌが閉鎖状態にある場合において右扉５０Ｒが閉鎖されると、閉鎖動作の終盤でラッチレバー８１の爪部８２が後退しつつ係止部８６を通過し、右扉５０Ｒがピラー６０に当たる正規位置まで閉鎖されたところで、爪部８２が進出して係止部８６に嵌ることで係止され、右扉５０Ｒが左扉５０Ｌに対して閉鎖状態に保持される。この状態から、ラッチレバー８１のレバー８３を引くと、爪部８２が後退して係止部８６から抜けることで係止が解除され、右扉５０Ｒが開放し得るようになっている。
【００３６】
続いて、本実施形態の作用を説明する。当該急速冷却庫は、加熱調理後の食品を短時間で冷却することに用いられる。  
食品の加熱調理は、例えば食材がトレイＴに載せられた形態でカート２０に対して複数段に亘って収容され、カート２０ごと図示しない加熱調理器（スチームコンベクションオーブン）に入れられて加熱調理される。
【００３７】
加熱調理後の食品を冷却庫に収容するには、図２及び図３に示すように、冷却庫の右扉５０Ｒを開いて収納室１４の前方を開放し、加熱調理器から出されたカート２０を手前側から収納室１４内に挿入する。カート２０は、台車２１と基盤２３との間に底壁１４Ａを進入させつつ押し込まれ、図８に示すように、支持部２５における支持板２７がカート受け３０の嵌合凹部３３に嵌り、カート用パッキン３４を弾縮させつつ奥面で受けられることによって押し込みが停止され、カート２０が収納室１４内に収納された状態となる。この収納位置では、支持板２７の手前側の面が、カート受け３０における両垂直部３２Ｌ，３２Ｒの手前側の面、並びに本体１０の前面開口部１０Ａの正面側の口縁部１０Ｂと同一面上に来る。
【００３８】
カート２０が収納されたら右扉５０Ｒが閉じられ、図１３に示すように、施錠機構部８０により、すなわちラッチレバー８１の爪部８２が、ピラー６０から突出して設けられたラッチ受け８５の係止部８６に係止することで、右扉５０Ｒが閉鎖状態に施錠される。このとき、右扉５０Ｒの裏面の周縁部に装着された扉パッキン５２は、揺動開閉の基端側の縦パッキン５２Ａと上側の横パッキン５２Ｂとが、収納室１４の前面開口の右側縁と上縁とに亘って密着して押し付けられるとともに、下側の横パッキン５２Ｃが、カート受け３０における左右の垂直部３２Ｌ，３２Ｒの手前の面と、これと面一をなすカート２０の支持板２７の上縁における手前の面に亘って密着して押し付けられ、さらに自由端側の縦パッキン５２Ｄが、ピラー６０の右側縁部における表面に密着して押し付けられる。これにより、収納室１４の前面開口と右扉５０Ｒとの間が、全周に亘って密閉されることになる。
【００３９】
係る状態で急速冷却運転が実行され、すなわち冷凍装置（図示せず）と冷却ファン４２とが運転されると、図１３の矢線に示すように、収納室１４の空気が冷却ユニット４０内に吸引されて冷却器４１を通過する間に生成された冷気が、冷却ユニット４０の背面側に吹き出されて同冷却ユニット４０の手前側と奥側の側面に回り込んだのち、収納室１４に送り込まれるといった循環流を生じ、これによりトレイＴに入れられた食品が急速冷却されることになる。
【００４０】
このとき、特に冷却ユニット４０の手前側では、ピラー６０が同冷却ユニット４０に向けて張り出しているため、冷却ユニット４０の手前を流れる冷気がピラー６０と干渉するおそれがある。ここで、ピラー６０の裏面における左側縁部には傾斜面６４Ｌが形成されているから、冷却ユニット４０の手前に回り込んだ冷気が、図１４の矢線に示すように、傾斜面６４Ｌに沿うようにして乱流等を生じることなく収納室１４に向けてスムーズに流される。結果、収納室１４の手前側と奥側とで冷却速度が偏ること、すなわち温度むらが出ることが抑制される。
【００４１】
所定の運転停止のタイミングとなったら、急速冷却運転が停止される。そののち食品の処理形態等により、直ちにカート２０が冷却庫から出されるか、若しくは急速冷却に続いて所定の冷却温度にて保存する保冷運転を行ったのち、改めてカート２０が冷却庫から出される。  
カート２０を出す場合は、施錠機構部８０におけるラッチレバー８１のレバー８３を引くと、爪部８２が後退してラッチ受け８５に対する係止が解除されすなわち解錠されるから、引き続いてラッチレバー８１を持って引くことで、図４に示すように、右扉５０Ｒが開放される。
【００４２】
ここで、右扉５０Ｒの閉鎖時には、図１４に示すように、裏面の自由端側の縦パッキン５２Ｄがピラー６０に押し付けられているため、急速冷却中等に同縦パッキン５２Ｄが氷結等によりピラー６０に貼り付き、右扉５０Ｒを開けたときに、ピラー６０したがって左扉５０Ｌに対して連れて開く方向の力が作用するおそれがある。しかしながら、ピラー６０の上下両端が、ロック機構部７０によって本体１０の前面開口部１０Ａの上下の周面に対して係止されているから、ピラー６０並びに左扉５０Ｌを残して右扉５０Ｒのみが開放される。  
右扉５０Ｒが開放されたら、カート２０を引っ張って収納室１４の手前側に引き出せばよい。
【００４３】
本体１０内を清掃する場合は、ホース等で水道水を掛けることで行われる。このときは、上記のように施錠機構部８０を解錠して右扉５０Ｒを開放することに加え、ロック機構部７０によるロックを解除して左扉５０Ｌを開放する。具体的には、ピラー６０の裏面の上下位置に配されたロック部材７１の操作部７４を操作することにより、ロックピン７３を後退させてロック孔７６から抜くことで係止を解除し、引き続いて左扉５０Ｌの自由端に設けられた装着凹部５５の把手５６に手を掛けて、図６に示すように、ピラー６０ともども左扉５０Ｌを開放する。また、必要に応じて冷却ユニット４０の右ケーシング４３Ｂを開くことにより、冷却器４１並びに冷却ファン４２を庫内に開放した状態としてもよい。  
いずれにしても、左扉５０Ｌの開放に伴いピラー６０が移動して、本体１０の前面開口部１０Ａがいわゆるピラーレス状態となるから、邪魔する物が無くなって特に冷却ユニット４０側を水洗いする際の作業性が向上する。
【００４４】
本実施形態によれば、以下のような数々の効果を得ることができる。  
本体１０の前面開口部１０Ａには、収納室側扉である右扉５０Ｒと、設置室側扉である左扉５０Ｌとが観音開き式の開閉可能に設けられ、左扉５０Ｌの自由端側の裏面にピラー６０が設けられた構造となっている。  
収納室１４にカート２０を出し入れする場合は、左扉５０Ｌを閉鎖したままで右扉５０Ｒのみを揺動開閉するのであるが、このように頻繁に開閉する右扉５０Ｒが、前面開口部１０Ａの全面を覆う片開きの１枚扉とした場合と比べて小型にできるから、開閉操作力が小さくて済み、また手前側に確保する扉開閉用のスペースを低減でき、さらに扉の支持構造を簡略にできてコスト低減を図ることができる。  
水洗い等による清掃を行う場合は、両扉５０Ｌ，５０Ｒが開放されるのであるが、左扉５０Ｌの開放に伴いピラー６０が移動して、前面開口部１０Ａがいわゆるピラーレス状態となるから、邪魔する物が無くなって特に冷却ユニット４０側の清掃の作業性を向上させることができる。
【００４５】
右扉５０Ｒとピラー６０との間の気密性を確保するために、右扉５０Ｒの自由端縁の裏面に装着された縦パッキン５２Ｄをピラー６０に密着させる手段が採られているが、同縦パッキン５２Ｄがピラー６０に貼り付いた状態となると、右扉５０Ｒを開放した場合にピラー６０を介して左扉５０Ｌが不必要に連れて開くおそれがある。この実施形態では、ロック機構部７０によりピラー６０の上下両端部を前面開口部１０Ａの周面に係止可能としているから、左扉５０Ｌを確実に閉鎖状態に留めて、右扉５０Ｒのみを開閉することができる。ピラー６０の係止を解除すれば、両扉５０Ｌ，５０Ｒを揃って開放することができる。
【００４６】
冷却形態は、図１３の矢線に示すように、収納室１４の空気が冷却ユニット４０内に吸引されて冷却器４１を通過する間に生成された冷気が、冷却ユニット４０の背面側に吹き出されて同冷却ユニット４０の手前側と奥側の側面に回り込んだのち、収納室１４に送り込まれるといった循環流を生じ、これによりトレイＴに入れられた食品が急速冷却されることになる。  
ここで、特に冷却ユニット４０の手前側では、ピラー６０が両扉５０Ｌ，５０Ｒの裏面から冷却ユニット４０に向けて張り出して設けられた形態であるため、冷却ユニット４０の手前を流れる冷気がピラー６０と干渉するおそれがあるが、ピラー６０の裏面における左側縁部には傾斜面６４Ｌが形成されているから、冷却ユニット４０の手前に回り込んだ冷気は、図１４の矢線に示すように、傾斜面６４Ｌに沿うようにして乱流等を生じることなく収納室１４に向けてスムーズに流される。結果、収納室１４の手前側と奥側とで冷却速度が偏ること、すなわち温度むらが出ることが抑制される。
【００４７】
なお、左扉５０Ｌを閉鎖した際、ピラー６０における右側縁の下端の所定幅部分が、カート受け３０における左側の垂直部３２Ｌの左手前の角部に形成された逃がし凹部３６に嵌りつつ停止し、ピラー６０の表面が、垂直部３２Ｌの表面、並びに本体１０の前面開口部１０Ａの正面側の口縁部１０Ｂと面一をなす位置に来るようになっているが、特にピラー６０の裏面における右側縁部には傾斜面６４Ｒが形成されている一方、逃がし凹部３６の奥面には、ピラー６０の傾斜面６４Ｒに倣った傾斜面３６Ａが形成され、傾斜面６４Ｒ，３６Ａ同士を重なるように対応させて停止させる構造を採っている。  
仮にピラー６０における右側縁部が一定の肉厚で、その裏面が表面と平行な面であると、ピラー６０が揺動して垂直部３２Ｌの逃がし凹部３６に出入りすることを許容するためには、ピラー６０の右側の端面と、垂直部３２Ｌの逃がし凹部３６におけるこれと対向した対向面との間の間隔を相応に大きく採る必要がある。  
それに対して上記構造は、傾斜面６４Ｒ，３４Ａ同士を重なるように対応させたことで、ピラー６０の右側の端面と、逃がし凹部３６の対向面の間隔Ｓを狭めることができ、庫外に向けた冷気洩れを抑制することができる。
【００４８】
両扉５０Ｌ，５０Ｒが閉鎖された状態では、ピラー６０は、両扉５０Ｌ，５０Ｒにおける裏面の自由端縁の間に亘って配されることになり、言い換えると、同ピラー６０の表面の略中央幅領域が、両扉５０Ｌ，５０Ｒの自由端側の端面の間の隙間を通して外部に露出した状態となる。ここで、ピラー６０について、傾斜面６４Ｌ，６４Ｒを形成するのは両側縁部に限られ、外気に触れやすい中央幅領域では所定の肉厚が維持されて断熱性能が確保されているから、ピラー６０の表面への露付きを防止することができる。
【００４９】
＜実施形態２＞
次に、本発明の実施形態２を図１５ないし図１８によって説明する。この実施形態２は、上記実施形態１と比較して、主にピラー１００の形状と、同ピラー１００を冷却庫本体１０側に解除可能にロックするロック機構部１１０の構造に変更が加えられている。以下には、実施形態１との相違点を主に説明し、実施形態１と同一機能を有する部材、部位については、同一符号を付すことで重複した説明は省略または簡略化する。
【００５０】
ピラー１００は、図１５に示すように、同じく筒状をなすピラー本体１０１の上下両面にキャップ１０２を被せてなる外殻内に、発泡樹脂等の断熱材が充填された断熱構造である。ただし、図１８に示すように、ピラー１００の幅寸法は、実施形態１のピラー６０の１．３倍程度と幅広であるとともに、ピラー１００の裏面における正面視で右側縁部のみに傾斜面６４Ｒが形成されている。一方、ピラー１００における左側縁部（設置室１５側の側縁部）は、同一厚さのまま左側（設置室１５側）に延出形成されており、この延出部１０４が冷気案内部となっている。
【００５１】
このピラー１００が、図１８に示すように、ピラー１００の表面の略中央幅位置が、左扉５０Ｌの扉パッキン５３のうち自由端側の縦パッキン５３Ｄに沿うように当てられ、全高に亘る取付具１０５によって左扉５０Ｌとピラー１００の裏面同士が連結された形態で、左扉５０Ｌの自由端縁の裏面側にピラー１００が取り付けられている。
【００５２】
次に、左扉５０Ｌを閉鎖状態に保持し、かつ適宜に同保持状態を解除するべくロック機構部１１０を説明する。ロック機構部１１０は、図１５ないし図１７に示すように、ロック部材１１１を備えており、このロック部材１１１は、ケース１１２内にロック板１１３が、操作部１１４のスライド操作により水平方向の進退可能に装着された構造である。  
このような構造のロック部材１１１が、ピラー１００の裏面の下端部において、ロック板１１３の先端を背面視で左側（収納室１４側）に向けた姿勢で取り付けられている。ロック板１１３が前進位置に進出した際には、図１８に示すように、同ロック板１１３の先端がピラー１００の正面視の右側縁の位置まで達する設定となっている。  
一方、カート受け３０の左側（設置室１５側）の垂直部３２Ｌにおけるロック板１１３の先端と対向した面には、当該ロック板１１３が進出した場合に先端のの進入を許容するロック溝１１５が形成され、同ロック溝１１５の手前側の面がロック板１１３の先端に係止して手前側への移動を規制する係止面１１６とされている。
【００５３】
本実施形態では、左扉５０Ｌはロック機構部１１０により閉鎖状態にロックされる。すなわち、左扉５０Ｌがピラー１００ともども閉鎖されたのち、図１７の鎖線及び図１８に示すように、ロック部材１１１のロック板１１３を進出させて相手のロック溝１１５に係止させることにより、ピラー１００ひいては左扉５０Ｌの開放が規制され、すなわち閉鎖状態にロックされる。  
なお、施錠機構部８０を構成するラッチ受け８２は、左扉５０Ｌにおける自由端縁側の表面に取り付けられている。
【００５４】
急速冷却運転は、図１８に示すように、カート２０を収納室１４に収納したのち右扉５０Ｒを閉鎖した状態で行われ、図１３に参照して示すように、収納室１４の空気が冷却ユニット４０内に吸引されて冷却器４１を通過する間に生成された冷気が、冷却ユニット４０の背面側に吹き出されて同冷却ユニット４０の手前側と奥側の側面に回り込んだのち、収納室１４に送り込まれるといった循環流を生じ、これによりトレイＴに入れられた食品が急速冷却される。  
ここで、冷却ユニット４０の手前側では、ピラー１００が同冷却ユニット４０に向けて張り出して配されているが、図１８に示すように、ピラー１００の左側縁部が、同一厚さのまま設置室１５側に延出された形状となっているから、冷却ユニット４０の手前に回り込んだ冷気が、同図の矢線に示すように、延出部１０４を含むピラー１００の直線状の裏面に沿い、より具体的には、冷気の一部が冷却ユニット４０の吸込口４４側に吸い込まれるショートサイクルを生じることなく、収納室１４に向けてスムーズに流される。結果、収納室１４の手前側と奥側とで冷却速度が偏ること、すなわち温度むらが出ることが抑制される。
【００５５】
本体１０内を清掃する場合等、両扉５０Ｌ，５０Ｒを開放する場合は、施錠機構部８０を解錠して右扉５０Ｒを開放したのち、ロック機構部１１０を構成するロック部材１１１の操作部１１４のスライド操作により、ロック板１１３を後退させてロック溝１１５から抜くことでピラー１００に対する係止を解除し、引き続いて左扉５０Ｌの把手５６に手を掛けて、ピラー１００ともども左扉５０Ｌを開放すればよい。  
この実施形態２のロック機構部１１０では、ロック部材１１１を横向きに設けてあることから、ロック部材１１１の取付公差や、ピラー１００の配設公差等により、ロック部材１１１とロック溝１１５との間の間隔にばらつきが出たとしても、ロック板１１３の進出量を変えることでロック板１１３の先端をロック溝１１５の係止面１１６に確実に係止させることができ、すなわち確実なロック機能を果たすことができる。  
実施形態１のロック機構部７０とは違って、ロック溝１１５（ロック孔７６と同様の係止機能を果たす）を本体１０の前面開口部１０Ａではなく、カート受け３０に形成すればよいから、ロック溝１１５の製造自体が簡単となる。  
また、ロック溝１１５には、実施形態１における下側のロック孔７６と違って、塵や結露水が溜まるおそれがなく、衛生面上でも好適である。
【００５６】
＜他の実施形態＞
本発明は上記記述及び図面によって説明した実施形態に限定されるものではなく、例えば次のような実施形態も本発明の技術的範囲に含まれる。  
（１）実施形態１において、ロック機構部は上下いずれか一方のみに配設するようにしてもよい。  
（２）実施形態１において、ピラーの裏面における設置室側の角部のみに傾斜面を設けるようにしてもよく、そのようなものも本発明の技術的範囲に含まれる。  
（３）冷却ユニットの配設位置は、上記実施形態とは逆に、庫内における正面視で右側に配置されていてもよい。
【００５７】
（４）上記実施形態では、冷却庫本体内の収納室にトレイを積んだカートが出し入れされる形式のものを例示したが、収納室にはトレイが直接に出し入れ可能に収納されるようになっているものであってもよい。  
（５）本発明は上記実施形態に例示した急速冷却庫に限らず、急速凍結庫（ショックフリーザ）にも適用可能であり、さらに庫内の左右一側に被冷却物の収納室が設けられる一方、他側に収納室に冷気を循環供給する冷却ユニットが設置された設置室が設けられた冷却庫全般に広く適用することができる。
【符号の説明】
【００５８】
１０…冷却庫本体  １０Ａ…前面開口部  １４…収納室  １５…設置室  ２０…カート  ３０…カート受け  ３２Ｌ…垂直部（ストッパ）  ３６…逃がし凹部（凹部）  ３６Ａ…傾斜面  ４０…冷却ユニット  ４１…冷却器  ４２…冷却ファン  ４３…ケーシング  ５０Ｌ…左扉（設置室側扉）  ５０Ｒ…右扉（収納室側扉）  ５２，５３…扉パッキン  ６０…ピラー  ６４Ｌ…傾斜面（冷気案内部）  ６４Ｒ…傾斜面  ７０…ロック機構部  ７１…ロック部材  ７３…ロックピン（ロック部）  ７６…ロック孔（係止部）  １００…ピラー  １０４…延出部（冷気案内部）  １１０…ロック機構部  １１１…ロック部材  １１３…ロック板（ロック部）  １１５…ロック溝（係止部）  Ｔ…トレイ
【図１】
2014214922.tif 000003
【図２】
2014214922.tif 000004
【図３】
2014214922.tif 000005
【図４】
2014214922.tif 000006
【図５】
2014214922.tif 000007
【図６】
2014214922.tif 000008
【図７】
2014214922.tif 000009
【図８】
2014214922.tif 000010
【図９】
2014214922.tif 000011
【図１０】
2014214922.tif 000012
【図１１】
2014214922.tif 000013
【図１２】
2014214922.tif 000014
【図１３】
2014214922.tif 000015
【図１４】
2014214922.tif 000016
【図１５】
2014214922.tif 000017
【図１６】
2014214922.tif 000018
【図１７】
2014214922.tif 000019
【図１８】
2014214922.tif 000020